(57)【特許請求の範囲】
【請求項１】
円筒形に形成された電池本体の両端に設けられた正極及び負極にそれぞれ一端側が接合され、他端側が電池本体の円筒軸方向の投影面積外に位置するように正極端子及び負極端子が取り付けられてなる端子付き電池において、
前記正極端子及び負極端子は、その一端側から他端側に至る前記投影面積内の位置で、立ち上がり部を有する段差が設けられ、
前記立ち上がり部は開口部と前記開口部の両側に小さい幅で残された小幅部から形成されたことを特徴とする端子付き電池。
【請求項２】
扁平形に形成された電池本体の両側平坦面にそれぞれ設けられた正極及び負極にそれぞれ一端側が接合され、他端側が電池本体の投影面積の外に延出するように正極端子及び負極端子が取り付けられ、一方の端子は前記平坦面と平行に取り付けられ、他方の端子は他端側が折り曲げられ前記一方の端子と同一平面上に位置するように取り付けられてなる端子付き電池において、
前記一方の端子の他端側は前記電池本体から外れた位置に、開口部とその両側の切り欠き部とに挟まれた易破断部を有し、
前記他方の端子の他端側は、前記電池本体の円盤軸方向の投影面積内となる位置に、開口部とその両側の切り欠き部とに挟まれた易破断部を有することを特徴とする端子付き電池。
【発明の詳細な説明】
【０００１】
【発明の属する技術分野】
本発明は、電池を回路基板に実装するための端子が取り付けられた端子付き電池に関し、この端子付き電池が装着された機器が廃棄処理される際に、回路基板から電池を取り外す作業を容易にする構造を設けたことを特徴とするものである。
【０００２】
【従来の技術】
リチウム電池のように長期間にわたって安定した出力電圧が得られる電池は、ガスメータの電源やメモリバックアップの電源として用いられ、電子回路を構成した回路基板に他の電子部品と共に実装される。回路基板に実装する用に供される電池は、回路基板に実装できるように正極及び負極に回路基板挿入用の端子が取り付けられる。
【０００３】
図７は、円筒形リチウム電池として構成された電池本体１に正極端子２１及び負極端子２２を取り付けた端子付き電池の従来構成を示すものである。正極端子２１はその一端側が電池本体１の正極に溶接され、他端側は電池本体１の円筒軸方向の投影面積外に突出して、その先端には２本の回路基板への正極挿入用端子２１ａが形成されている。負極端子２２はその一端側が電池本体１の負極に溶接され、他端側は電池本体１の投影面積外に突出して、その先端には１本の負極挿入用端子２２ａを形成して、回路基板に正極、負極が逆向きに装着されないようにしている。
【０００４】
また、パーソナルコンピュータなどではメモリバックアップやカレンダーＩＣの電源として扁平形のコイン形リチウム電池が用いられ、図１４に示すように、端子付き電池として回路基板に実装される。コイン形電池に対する端子の取り付け形態は様々であるが、図１４に示す端子付き電池では、電池本体３１の正極となる電池缶３５に一端側を溶接して正極端子５１が取り付けられ、負極となる封口板３６に一端側を溶接して負極端子５２が取り付けられている。正極端子５１及び負極端子５２の他端側は電池本体３１の投影面積外に延出され、その先端に回路基板に挿入する正極挿入端子５１ａ及び負極挿入端子５２ａが形成されている。
【０００５】
このような回路基板に実装するための端子付き電池は、それを用いた機器の耐用年数の経過や故障などにより廃棄されるときには、回路基板から取り外されて有用材料の回収の用に供される。例えば、リチウム電池の活物質として用いられているリチウムは海外資源に依存しており、これを回収してリサイクル、再利用することが資源の有効利用につながる。
【０００６】
機器が廃棄される際に、回路基板に実装された電池の取り外しを容易にするための端子構造として、特開２０００−２４３３７７号公報に開示されたものが知られている。ここに開示された端子構造は、リード端子に薄肉部分や切欠部分、ミシン目状部分のような切断を容易にする機構を形成して、電池の取り外し時にリード端子の切断を容易にしている。
【０００７】
【発明が解決しようとする課題】
しかしながら、端子付き電池を回路基板から取り外す際に、単に端子を切断するだけでは、電池本体より外に正極端子及び負極端子が突出しているので、正極端子と負極端子との間が何らかの金属物により短絡される恐れが多分にある。例えば、図７に示した端子付き電池を回路基板から取り外す際に、正極挿入用端子２１ａ及び負極挿入用端子２２ａを切断しても電池本体より外に正極端子２１及び負極端子２２が突出しているため、これを金属製の収集容器に投入した場合に、正極端子２１と負極端子２２との間が短絡されやすい状態になる。
【０００８】
また、コイン形の端子付き電池の場合では、電池本体の正極となる電池缶３５、負極となる封口板３６が絶縁物で被覆されることなく金属部分が全て露出しているため、正極、負極間が短絡しやすい状態となる。
【０００９】
回路基板に実装する用に供される電池は主にリチウム電池であり、その寿命は長く、これを用いた機器が廃棄された後でも放電エネルギーを残している場合が多く、正極と負極との間が何らかの金属物で短絡されたとき、リチウム電池のようなエネルギー密度の高い電池では発熱に伴って発火や破裂に至る恐れが多分にある。また、前述の特開２０００−２４３３７７号として開示された発明が対象とする電気二重層キャパシタは、蓄電を主目的とするデバイスであるため、放電エネルギーが残存している度合いは大きく、短絡によってリチウム電池と同様の問題が発生する。
【００１０】
比較的大型のリチウム電池では、短絡により大電流が流れたとき放電回路を遮断したり、過大な放電電流を阻止するなどの短絡防止機能や短絡に伴って電池内圧が異常上昇したとき、内圧を外部放出する排出弁等の機能が設けられているが、回路基板に実装するための小型のリチウム電池では、前記のような機能を備えることができないため、廃棄された機器の処理において短絡を発生させることを防止する必要がある。
【００１１】
本発明が目的とするところは、回路基板から取り外された電池の正極、負極間の短絡を防止する端子構造を設けた端子付き電池を提供することにある。
【００１２】
【課題を解決するための手段】
上記目的を達成するための本願第１発明は、円筒形に形成された電池本体の両端に設けられた正極及び負極にそれぞれ一端側が接合され、他端側が電池本体の円筒軸方向の投影面積外に位置するように正極端子及び負極端子が取り付けられてなる端子付き電池において、前記正極端子及び負極端子は、その一端側から他端側に至る前記投影面積内の位置で、立ち上がり部を有する段差が設けられ、前記立ち上がり部は開口部と前記開口部の両側に小さい幅で残された小幅部から形成されたことを特徴とする。
【００１３】
上記構成になる端子付き電池は、これが用いられた機器の廃棄に伴って実装された回路基板から取り外すとき、易破断部をニッパー等の切断工具により切断することにより端子付き電池を回路基板から容易に切り離すことができる。取り外された端子付き電池は、回収容器等に投入されて電池や金属物に混入したとき、電池本体から外に端子が突出していると、電池の正極と負極との間が金属により短絡される確率が増加し、リチウム電池などの場合に短絡に伴う発火や破裂の恐れがある。しかし、易破断部は投影面積の中にあるので、端子が切断された端子付き電池は、電池本体から外に端子の突出がなく、短絡が生じる確率は大幅に減少するので、廃棄処理時の電池による危険性が抑制される。また、上記構成によれば、回路基板から端子付き電池を取り出すとき、回路基板の面に対して鉛直の方向から易破断部に切断工具の刃先を挿入することができるので、端子付き電池の周囲に電子部品が実装されていても取り出しの作業に支障が生じない。
【００１６】
また、本願第２発明は、扁平形に形成された電池本体の両側平坦面にそれぞれ設けられた正極及び負極にそれぞれ一端側が接合され、他端側が電池本体の投影面積の外に延出するように正極端子及び負極端子が取り付けられ、一方の端子は前記平坦面と平行に取り付けられ、他方の端子は他端側が折り曲げられ前記一方の端子と同一平面上に位置するように取り付けられてなる端子付き電池において、
前記一方の端子の他端側は前記電池本体から外れた位置に、開口部とその両側の切り欠き部とに挟まれた易破断部を有し、
前記他方の端子の他端側は、前記電池本体の円盤軸方向の投影面積内となる位置に、開口部とその両側の切り欠き部とに挟まれた易破断部をすることを特徴とする。
【００１７】
上記構成になる端子付き電池は、これが用いられた機器の廃棄に伴って実装された回路基板から取り外すとき、易破断部を基板の面に対して鉛直の方向からニッパー等の切断工具により切断することにより端子付き電池を回路基板から容易に切り離すことができる。取り外された端子付き電池は、回収容器等に投入されて電池や金属物に混入したとき、電池本体から外に端子が突出していると、電池の正極と負極との間が金属により短絡される確率が増加し、リチウム電池などの場合に短絡に伴う発火や破裂の恐れがあるが、一方の端子は切断後に電池本体から外に端子の突出がなく、短絡が生じる確率は大幅に減少するので、廃棄処理時の電池による危険性が抑制される。
【００２０】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００２１】
図１は、第１の実施形態に係る端子付き電池Ａの構成を示すもので、円筒形のリチウム一次電池として構成された電池本体１の正極１ａに正極端子２の一端側が接合され、負極１ｂに負極端子３の一端側が接合され、正極端子２及び負極端子３それぞれの他端側は回路基板に形成された挿入孔に挿入できるように正極挿入用端子２ａ、負極挿入用端子３ａが形成され、この端子付き電池Ａを回路基板に実装できるように構成されている。
【００２２】
前記正極端子２は、図２（ａ）に示すように、一端側に電池本体１の正極１ａに溶接により接合するための正極接合面２ｂが形成され、他端側に電池本体１の円筒軸方向の投影面積から外に出た両端に回路基板に挿入するための正極挿入用端子２ａ、２ａが形成されている。また、前記正極接合面２ｂから正極挿入用端子２ａに至る途上に、形成位置が前記投影面積内になるように開口部２ｃが形成され、この開口部２ｃの形成により、その両側に幅の狭い小幅部として易破断部２ｄが形成される。
【００２３】
また、前記負極端子３は、図２（ｂ）に示すように、一端側に電池本体１の負極１ｂに溶接により接合するための負極接合面３ｂが形成され、他端側に電池本体１の円筒軸方向の投影面積から外に回路基板に挿入するための負極挿入用端子３ａが形成されている。また、前記負極接合面３ｂから負極挿入用端子３ａに至る途上に、形成位置が前記投影面積内になるように開口部３ｃが形成され、この開口部３ｃの形成により、その両側に幅の狭い易破断部３ｄが形成される。尚、この負極端子３には負極挿入用端子３ａが１本形成され、正極端子２には正極挿入用端子２ａが２本形成されていることにより、端子付き電池Ａが回路基板に逆向きに装着されることを防止している。
【００２４】
上記構成になる端子付き電池Ａを用いた機器が寿命もしくは故障等により廃棄処理されるとき、機器に装備されている回路基板から端子付き電池Ａが取り外され、リチウム等の有用金属の回収の用に供される。この端子付き電池Ａを取り外すには、正極端子２の易破断部２ｄ及び負極端子３の易破断部３ｄをニッパー等の切断工具により切断して回路基板から端子付き電池Ａを切り離す。易破断部２ｄ、３ｄは開口部２ｃ、３ｃの形成により小さい幅になっているので切断が容易で、端子付き電池Ａの取り出し作業を効率よく行うことができる。
【００２５】
易破断部２ｄ、３ｄの切断により、開口部２ｃ、３ｃが電池本体１の円筒軸方向投影面積内に位置しているため、正極端子２及び負極端子３が切断された端子付き電池Ａ’は、図３に示すように、電池本体１の両側に投影面積内に収まるように正極端子残片２’、負極端子残片３’が残った状態になる。この状態では電池本体１の正極１ａと負極１ｂとの間が金属物によって短絡される状態は起こり難く、取り外された端子付き電池Ａ’に放電容量が残っていても短絡に伴う発火や破裂の発生は大幅に抑制される。
【００２６】
端子付き電池Ａを回路基板から取り出すための作業をより容易にするために、図４に示す第２の実施形態に係る端子付き電池Ｂでは、正極端子４及び負極端子５に形成した易破断部４ｄ、５ｄを外方に膨出させている。このように易破断部４ｄ、５ｄが外方に膨出していると、易破断部４ｄ、５ｄに切断工具の刃先を充分に挿入することができ、更には切断工具の刃先を挿入する方向の自由度も高くなるので、切断作業の作業性が向上する。
【００２７】
回路基板上には他の電子部品が多数実装されており、端子付き電池Ａの場合、易破断部２ｄの傍らに電子部品が実装されていると、切断工具で易破断部２ｄを切断する邪魔になることがあり、障害となる電子部品を先に取り外す手間を要する場合がある。その点では、端子付き電池Ｂの場合には、切断工具の刃先を挿入する方向角度の範囲は広くなって、取り外しの作業性が向上する。それでも周囲に実装された電子部品が取り外しの障害となるのは避け難い。回路基板の面に対して鉛直の方向から切断作業が実施できるようにすると、電子部品の実装密度に関係なく切断の作業性を向上させることができる。これを実現する構成を第３の実施形態として次に説明する。
【００２８】
図５（ａ）は、第３の実施形態に係る端子付き電池Ｃの構成を示すもので、正極端子６及び負極端子７は曲げ加工により段差が形成され、段差の立ち上がり部位に易破断部６ｄ、７ｄが形成されている。
【００２９】
正極端子６は、一端側に電池本体１の正極１ａに溶接により接合される接合部６ｂが形成され、他端側に回路基板に挿入する正極挿入用端子６ａが形成され、一端側から他端側に至る途中の電池本体１の円筒方向投影面積内に段差を形成し、段差の立ち上がり部位に開口部６ｃを形成することによって、その両側に切断を容易にする易破断部６ｄが形成されている。一方、負極端子７は、図５（ｂ）に示すように、正極端子６と同様の構成であるが、回路基板に挿入する負極挿入用端子７ａを１本にして、正極、負極が逆挿入されないようにしている。
【００３０】
上記構成によれば、回路基板から端子付き電池Ｃを取り出すとき、回路基板の面に対して鉛直の方向から易破断部６ｄ、７ｄに切断工具の刃先を挿入することができるので、端子付き電池Ｃの周囲に電子部品が実装されていても取り出しの作業に支障が生じない。また、易破断部６ｄ、７ｄが形成された段差の立ち上がり部位は、電池本体１の円筒軸方向の投影面積内に位置しているので、易破断部６ｄ、７ｄで正極端子６及び負極端子７が切断された後の残片は電池本体１の直径方向に外には突出せず、突出した正極端子６と負極端子７とが金属物によって短絡されることは大幅に減少する。
【００３１】
図６に示す端子付き電池Ｄのように、正極端子８及び負極端子９に段差を形成した構成において、開口部８ｃは段差の正極挿入用端子８ａ側に形成することもできる。この場合は、図６（ｂ）に示すように、開口部８ｃは電池本体１の円筒軸方向の投影面積内に位置するように形成すると、開口部８ｃの両側に形成される易破断部８ｄも投影面積内に位置し、それが切断されたとき、電池本体１の直径方向に正極端子８の残片が突出することがない。負極端子９についても同様に形成することにより、回路基板から取り出した端子付き電池Ｄの正極、負極間が短絡する確率は大幅に減少する。
【００３２】
次に、電池本体の形状が異なる端子付き電池に適用した第５〜第８の各実施形態について、図８〜図１２を参照して説明する。第５〜第８の各実施形態に係る端子付き電池は、一般にコイン形電池と称されている扁平形の電池本体の正極及び負極にそれぞれ回路基板への実装用の端子を取り付けたものである。
【００３３】
コイン形電池として構成された電池本体３１は、図８に示すように、浅い有底円筒状に形成された電池缶３５内に発電要素を収容し、電池缶３５の開口部にガスケットを介して封口板３６をかしめ固定することにより電池缶３５内を封止して形成され、一般に電池缶３５が正極に、封口板３６が負極に構成される。
【００３４】
この電池本体３１を用いた第５の実施形態に係る端子付き電池Ｅは、図８に示すように、電池缶３５に一端側を溶接により接合して正極端子３２が設けられ、封口板３６に一端側を溶接により接合して負極端子３３が設けられている。正極端子３２及び負極端子３３は、それぞれ一端側から他端側に至る途中で９０度に折り曲げられ、他端側の先端部分は回路基板に挿入実装できるように細幅の正極挿入用端子３２ｄ、負極挿入用端子３３ｄに形成されている。
【００３５】
正極端子３２には、円盤軸方向の封口板３６の平坦面より電池缶３５寄りの位置に、開口部３２ａとその両側の切欠部３２ｂ，３２ｂとに挟まれた易破断部３２ｃ，３２ｃが形成されている。また、負極端子３３には、図９に負極端子３３を独立表示するように、円盤直径方向の電池缶３５の外周面より中心軸寄りの位置に、開口部３３ａとその両側の切欠部３３ｂ，３３ｂとに挟まれた易破断部３３ｃが形成されている。
【００３６】
上記構成になる端子付き電池Ｅは、これを用いる機器に設けられた回路基板に形成された挿入穴に正極挿入用端子３２ｄ及び負極挿入用端子３３ｄを挿入し、正極挿入用端子３２ｄ及び負極挿入用端子３３ｄを回路基板の反対面側で折り曲げ加工した後に半田付けされることにより回路基板に実装される。この機器が寿命もしくは故障等により廃棄処理されるとき、回路基板から端子付き電池Ｅは取り外され、リチウム等の有用金属回収の用に供される。この端子付き電池Ｅを回路基板から取り外すには、正極端子３２の易破断部３２ｃ及び負極端子３３の易破断部３３ｃをニッパー等の切断工具により切断して回路基板から端子付き電池Ｅを切り離す。易破断部３２ｃ，３３ｃを形成するための開口部３２ａ，３３ａ及び切欠部３２ｂ，３３ｂは、丸穴と円弧によって形成してもよいが、図示するように、角穴に形成された開口部３２ａ，３３ａとその角部に角部を対向させた切欠部３２ｂ，３３ｂに形成することにより、切断工具による切断位置が一定し、切断が容易となる。
【００３７】
易破断部３２ｃ，３３ｃの切断により回路基板から取り外された端子付き電池Ｅは、電池本体３１の円盤軸方向においては正極端子３２は電池缶３５の高さ寸法範囲内にあり、電池本体３１の直径方向においては負極端子３３は電池缶３５の外周面より内側となるので、取り外された端子付き電池Ｅが金属製容器内に投入されたときにも正極、負極間の短絡が防止できる。即ち、図１０に示すように、易破断部３２ｃ，３３ｃで切断して取り外された端子付き電池Ｅ’は、金属製容器Ｍ内に封口板３６の平坦面で接地しても封口板３６と正極端子３２との間が金属製容器Ｍによって短絡されることはない。同じく図１０に示すように、金属製容器Ｍ内に電池缶３５の外周面で接地したときにも電池缶３５と負極端子３３との間が金属製容器によって短絡されることがない。従って、リチウム電池のように寿命が長く、それを用いた機器が廃棄された後でも放電エネルギーを残しているような場合でも、正極、負極間の短絡による端子付き電池Ｅの発火や破裂が防止できる。
【００３８】
図８に示した端子付き電池Ｅは、正極端子３２の正極挿入用端子３２ｄ及び負極端子３３の負極挿入用端子３３ｄが同一形状であるため、回路基板に逆向きに挿入されてしまう恐れがある。これを防止するため、図１１に示す第６の実施形態に係る端子付き電池Ｆのように、一方の端子、ここでは正極端子３７の正極挿入用端子３７ｄを２本足に形成して、逆挿入の防止を図ることができる。
【００３９】
この端子付き電池Ｆの場合にも、正極端子３７には開口部３７ａとその両側に切欠部３７ｂ，３７ｂを設けて易破断部３７ｃ，３７ｃが形成されている。尚、負極端子３３は、図９に示した端子付き電池Ｅのものと同一であり、その易破断部３３ｃの同一構成である。
【００４０】
図１２は、第７の実施形態に係る端子付き電池Ｇの構成を示すもので、電池本体３１の円盤面を回路基板に対して鉛直方向にして実装できるように構成されている。電池本体３１の正極となる電池缶３５には、その一端側を溶接により接合して正極端子４０が取り付けられ、電池本体３１の負極となる封口板３６には、その一端側を溶接により接合して負極端子４１が取り付けられている。正極端子４０の他端側は電池本体３１の投影面積外に延出され、その先端には回路基板の挿入穴に挿入実装することができるように細幅に正極挿入用端子４０ｄが形成され、負極端子４１の他端側は電池本体３１の投影面積外に延出され、その先端には回路基板の挿入穴に挿入実装することができるように細幅に負極挿入用端子４１ｄが形成されている。図示するように正極挿入用端子４０ｄと負極挿入用端子４１ｄの幅が異なるように形成されているので、回路基板に正極、負極が逆装填されることが防止できる。
【００４１】
図１２（ａ）に示すように、正極端子４０には、開口部４０ａとその両側の切欠部４０ｂ，４０ｂとに挟まれて易破断部４０ｃ，４０ｃが形成されている。この易破断部４０ｃの形成位置は正極端子４０の切断作業が容易な任意位置でよい。
【００４２】
図１２（ｃ）に示すように、負極端子４１には、開口部４１ａとその両側の切欠部４１ｂ，４１ｂとに挟まれて易破断部４１ｃ，４１ｃが形成されている。この易破断部４１ｃの形成位置は、電池缶３５の外周面より内側寄りの位置、即ち、電池本体３１の円盤軸方向投影面積内に形成される。
【００４３】
上記構成になる端子付き電池Ｇは、これを用いる機器に設けられた回路基板に形成された挿入穴に正極挿入用端子４０ｄ及び負極挿入用端子４１ｄを挿入し、正極挿入用端子４０ｄ及び負極挿入用端子４１ｄを回路基板の反対面側で折り曲げ加工した後に半田付けされることにより回路基板に実装される。この機器が寿命もしくは故障等により廃棄処理されるとき、回路基板から端子付き電池Ｇは取り外され、リチウム等の有用金属回収の用に供される。この端子付き電池Ｇを回路基板から取り外すには、正極端子４０の易破断部４０ｃ及び負極端子４１の易破断部４１ｃをニッパー等の切断工具により切断して回路基板から端子付き電池Ｇを切り離す。易破断部４０ｃ，４１ｃを形成するための開口部４０ａ，４１ａ及び切欠部４０ｂ，４１ｂは、丸穴と円弧によって形成してもよいが、図示するように、角穴に形成された開口部４０ａ，４１ａとその角部に角部を対向させた切欠部４０ｂ，４１ｂに形成することにより、切断工具による切断位置が一定し、切断が容易となる。
【００４４】
易破断部４０ｃ，４１ｃの切断により回路基板から取り外された端子付き電池Ｇは、負極端子４１が電池本体３１の投影面積内に在る易破断部４１ｃで切断されているので、取り外された端子付き電池Ｇが金属製容器内に投入されたときに、金属製容器内に電池缶３５の外周面で接地したときにも電池缶３５と負極端子３３との間が金属製容器によって短絡されることがない。従って、リチウム電池のように寿命が長く、それを用いた機器が廃棄された後でも放電エネルギーを残しているような場合でも、正極、負極間の短絡による端子付き電池Ｇの発火や破裂が防止できる。
【００４５】
図１３は、第８の実施形態に係る端子付き電池Ｈの構成を示すもので、回路基板に表面実装できるように、電池本体３１の電池缶３５に正極端子４３、封口板３６に負極端子４４が取り付けられている。
【００４６】
電池本体３１を構成する電池缶３５の平坦面には、その一端側を溶接により接合して正極端子４３が平坦面と平行に取り付けられ、封口板３６の平坦面には、その一端側を溶接により接合した負極端子４４が折り曲げ加工により他端側が正極端子４３と同一平面上に位置するように取り付けられている。
【００４７】
正極端子４３には、回路基板に実装された状態の端子付き電池Ｈから切断しやすい位置、即ち電池本体３１から外れた位置に、開口部４３ａとその両側の切欠部４３ｂ，４３ｂとに挟まれた易破断部４３ｃが形成されている。また、負極端子４４には、電池本体３１の円盤軸方向の投影面積内となる位置に、開口部４４ａとその両側の切欠部４４ｂ，４４ｂとに挟まれた易破断部４４ｃが形成されている。
【００４８】
上記構成になる端子付き電池Ｈは、これを用いる機器に設けられた回路基板の表面上に配設され、正極端子４３の他端側先端部及び負極端子４４の他端側先端部が回路基板のランドに半田付けされることにより表面実装される。この機器が寿命もしくは故障等により廃棄処理されるとき、回路基板から端子付き電池Ｈは取り外され、リチウム等の有用金属回収の用に供される。この端子付き電池Ｈを回路基板から取り外すには、正極端子４３の易破断部４３ｃ及び負極端子４４の易破断部４４ｃをニッパー等の切断工具により切断して回路基板から端子付き電池Ｈを切り離す。易破断部４３ｃ，４４ｃを形成するための開口部４３ａ，４４ａ及び切欠部４３ｂ，４４ｂは、丸穴と円弧によって形成してもよいが、図示するように、角穴に形成された開口部４３ａ，４４ａとその角部に角部を対向させた切欠部４３ｂ，４４ｂに形成することにより、切断工具による切断位置が一定し、切断が容易となる。
【００４９】
易破断部４３ｃ，４４ｃの切断により回路基板から取り外された端子付き電池Ｈは、負極端子４４が電池本体３１の投影面積内に在る易破断部４４ｃで切断されているので、取り外された端子付き電池Ｈが金属製容器内に投入されたときに、金属製容器内に電池缶３５の外周面で接地したときにも電池缶３５と負極端子４４との間が金属製容器によって短絡されることがない。従って、リチウム電池のように寿命が長く、それを用いた機器が廃棄された後でも放電エネルギーを残しているような場合でも、正極、負極間の短絡による端子付き電池Ｈの発火や破裂が防止できる。
【００５０】
以上説明した各実施形態は、断面形状が円形の端子付き電池に切断部位を特定したものであるが、断面形状が四角形などの形状のものにおいても同様に構成することができる。
【００５１】
【発明の効果】
以上の説明の通り本発明によれば、廃棄処理される回路基板に実装された端子付き電池を回路基板から取り出す作業が容易であり、取り出された端子付き電池の正極と負極との間が金属物により短絡される状態は著しく減少し、短絡による不測の事故を防止することができる。
【図面の簡単な説明】
【図１】第１の実施形態に係る端子付き電池の構成を示す斜視図。
【図２】同上構成における正極端子（ａ）及び負極端子（ｂ）の構成を示す平面図。
【図３】同上構成における易破断部を切断した状態を示す斜視図。
【図４】第２の実施形態に係る端子付き電池の構成を示す斜視図。
【図５】（ａ）は第３の実施形態に係る端子付き電池の構成を示す斜視図、（ｂ）は負極端子の構成を示す斜視図。
【図６】（ａ）は第４の実施形態に係る端子付き電池の構成を示す斜視図、（ｂ）は正極端子の構成を示す平面図。
【図７】従来技術に係る端子付き電池の構成を示す斜視図。
【図８】第５の実施形態に係る端子付き電池の構成を示す（ａ）（ｅ）は平面図、（ｂ）〜（ｄ）は側面図。
【図９】負極端子の構成を示す斜視図。
【図１０】短絡を発生させない状態を説明する説明図。
【図１１】第６の実施形態に係る端子付き電池の構成を示す（ａ）（ｅ）は平面図、（ｂ）〜（ｄ）は側面図。
【図１２】第７の実施形態に係る端子付き電池の構成を示す（ａ）（ｃ）は平面図、（ｂ）（ｄ）は側面図。
【図１３】第８の実施形態に係る端子付き電池の構成を示す（ａ）（ｃ）は平面図、（ｂ）（ｄ）は側面図。
【図１４】従来技術に係る端子付き電池の構成を示す（ａ）（ｃ）は平面図、（ｂ）は側面図。
【符号の説明】
１、３１  電池本体
２、４、６、８、３２、３７、４０、４３  正極端子
３、５、７、９、３３、４１、４４  負極端子
２ｃ〜８ｃ、３２ａ、３３ａ、３７ａ、４０ａ、４１ａ、４３ａ、４４ａ  開口部
２ｄ〜８ｄ、３２ｃ、３３ｃ、３７ｃ、４０ｃ、４１ｃ、４３ｃ、４４ｃ  易破断部
３２ｂ、３３ｂ、３７ｂ、４０ｂ、４１ｂ、４３ｂ、４４ｂ  切欠部
【図１】
0004359417.tif 000002
【図２】
0004359417.tif 000003
【図３】
0004359417.tif 000004
【図４】
0004359417.tif 000005
【図５】
0004359417.tif 000006
【図６】
0004359417.tif 000007
【図７】
0004359417.tif 000008
【図８】
0004359417.tif 000009
【図９】
0004359417.tif 000010
【図１０】
0004359417.tif 000011
【図１１】
0004359417.tif 000012
【図１２】
0004359417.tif 000013
【図１３】
0004359417.tif 000014
【図１４】
0004359417.tif 000015